(57)【要約】【課題】建物の外観を損なわせたり、開口部を経由した眺望及び開口部を通る人の出入を妨げずに、耐震効果を向上できる建物の耐震補強方法、建物及び耐震補強材を提供する。【解決手段】建物の耐震補強方法は、集合住宅建物３の外部に面した開口部４の周りの柱５又は壁と梁７とに跨って当該柱５又は壁と梁７とに耐震補強材２を固定した。また、耐震補強材２が、集合住宅建物３の外部に面した開口部４の周りの柱５又は壁と梁７とに跨って当該柱５又は壁と梁７とに固定された建物１とした。さらに、耐震補強材２は、Ｔ字形状であることを特徴とする。【選択図】図１
2008057175.tif 000002
【特許請求の範囲】
【請求項１】
集合住宅建物の外部に面した開口部の周りの柱又は壁と梁とに跨って当該柱又は壁と梁とに耐震補強材を固定したことを特徴とする建物の耐震補強方法。
【請求項２】
Ｔ字形状に形成された耐震補強材を固定したことを特徴とする請求項１に記載の建物の耐震補強方法。
【請求項３】
耐震補強材が、集合住宅建物の外部に面した開口部の周りの柱又は壁と梁とに跨って当該柱又は壁と梁とに固定されたことを特徴とする建物。
【請求項４】
耐震補強材が、Ｔ字形状であることを特徴とする請求項３に記載の建物。
【請求項５】
耐震補強材が、柱又は壁と梁とに三点以上で固定されたことを特徴とする請求項３又は請求項４に記載の建物。
【請求項６】
開口部が、集合住宅建物の各戸の室内からベランダ又は廊下への出入口となるすべての開口部であることを特徴とする請求項３乃至請求項５のいずれかに記載の建物。
【請求項７】
下階の柱又は壁及び梁に固定された耐震補強材と上階の柱又は壁及び梁に固定された耐震補強材とが連結手段によって互いに連結されたことを特徴とする請求項３乃至請求項６のいずれかに記載の建物。
【請求項８】
集合住宅建物の外部に面した開口部の周りの柱又は壁と梁とに跨るように当該柱又は壁と梁とに固定されることを特徴とする耐震補強材。
【請求項９】
Ｔ字形状であることを特徴とする請求項８に記載の耐震補強材。
【発明の詳細な説明】
【技術分野】
【０００１】
本発明は、建物の外観を損なわせたり、開口部を経由した眺望及び開口部を通る人の出入を妨げずに、耐震効果を向上できる建物の耐震補強方法、建物及び耐震補強材に関する。
【背景技術】
【０００２】
建物の耐震補強工法の代表例としては、所謂、ブレース工法があるが、このブレース工法によれば、建物外面に設けられた窓枠などの開口部からの採光や開口部を通る人の出入がブレースによって妨げられる。そこで、格子状の補強体を既設建物の外壁との間に隙間を開けて設け、補強体と外壁とを連結手段で連結した建物が知られている。
【特許文献１】特開２００２−２４２４４９号公報
【発明の開示】
【発明が解決しようとする課題】
【０００３】
しかしながら、特許文献１では、補強体としての補強壁や補強床が開口部の前方に位置するため、補強体が、建物を外から見た場合の外観を損なわせたり、室内から開口部を通した眺望を妨げてしまうといった課題があった。また、外壁と補強壁や補強床とが連結手段により互いに連結された構造であるが、外壁の一部に補強壁と補強床とが連結手段により連結された構造なので、補強体と連結手段の強度が小さく、耐震効果が少ない。
【課題を解決するための手段】
【０００４】
本発明の建物の耐震補強方法は、集合住宅建物の外部に面した開口部の周りの柱又は壁と梁とに跨って当該柱又は壁と梁とに耐震補強材を固定したことを特徴とする。
Ｔ字形状に形成された耐震補強材を固定したことも特徴とする。
本発明の建物は、耐震補強材が、集合住宅建物の外部に面した開口部の周りの柱又は壁と梁とに跨って当該柱又は壁と梁とに固定されたことを特徴とする。
耐震補強材が、Ｔ字形状であることも特徴とする。
耐震補強材が、柱又は壁と梁とに三点以上で固定されたことも特徴とする。
開口部が、集合住宅建物の各戸の室内からベランダ又は廊下への出入口となるすべての開口部であることも特徴とする。
下階の柱又は壁及び梁に固定された耐震補強材と上階の柱又は壁及び梁に固定された耐震補強材とが連結手段によって互いに連結されたことも特徴とする。
本発明の耐震補強材は、集合住宅建物の外部に面した開口部の周りの柱又は壁と梁とに跨るように当該柱又は壁と梁とに固定されることを特徴とする。
耐震補強材は、Ｔ字形状であることも特徴とする。
【発明の効果】
【０００５】
本発明の建物の耐震補強方法によれば、建物の外から見た場合の外観を損なわせたり、室内から開口部を通した眺望及び開口部を通る人の出入を妨げることなく、かつ、建物の耐震効果を向上させることができる。
Ｔ字形状に形成された耐震補強材を固定することによって、耐震補強材を効率的に使用でき、また、耐震補強材の梁の外面に沿った長さを長くすることができて、地震の際の力に対する耐震補強材の強度を向上でき、建物の耐震効果を向上させることができる。
本発明の建物によれば、耐震補強材が、集合住宅建物の外部に面した開口部の周りの柱又は壁と梁とに跨って当該柱又は壁と梁とに固定されたことによって、耐震補強材が、建物の外から見た場合の外観を損なわせたり、室内から開口部を通した眺望及び開口部を通る人の出入を妨げることなく、かつ、耐震効果の高い建物を提供できる。
Ｔ字形状の耐震補強材を用いたことによって、耐震補強材を効率的に使用でき、また、耐震補強材の梁の外面に沿った長さを長くすることができて、地震の際の力に対する耐震補強材の強度を向上でき、耐震効果の高い建物を提供できる。
耐震補強材が、柱又は壁と梁とに三点以上で固定されたので、耐震補強材の回転防止効果が得られ、耐震補強材の回転による脱落を防止できるため、耐震補強材の脱落による耐震構造の劣化の少ない建物を提供できる。
集合住宅建物の各戸の室内からベランダ又は廊下への出入口となるすべての開口部の周りの柱又は壁と梁とに跨って柱又は壁と梁とに複数の耐震補強材を固定するため、建物の剛性が大きくなり、耐震効果の高い建物を提供できる。
下階の柱又は壁及び梁に固定された耐震補強材と上階の柱又は壁及び梁に固定された耐震補強材とが連結手段によって互いに連結された構造としたことで、上下の耐震補強材と建物とが一体化され、既存の建物と耐震補強材との一体化が強固になり、より耐震効果の高い建物を提供できる。
本発明の耐震補強材によれば、建物の外から見た場合の外観を損なわせたり、室内から開口部を通した眺望及び開口部を通る人の出入を妨げることなく、かつ、耐震効果の高い建物を提供できる。
耐震補強材がＴ字形状であれば、建物を効率的に構築できるとともに、耐震効果の高い建物を構築できる。
【発明を実施するための最良の形態】
【０００６】
図１乃至図３は最良の形態１を示す。図１は建物をベランダ側から見た正面図である。図２（ａ）は耐震補強材の斜視図、図２（ｂ）は耐震補強材の正面図である。図３（ａ）は図１のＡ−Ａ断面図、図３（ｂ）は図１のＢ−Ｂ断面図である。
【０００７】
図１を参照して、建物を説明する。
建物１は、耐震補強材２が、既存の鉄筋コンクリート造の集合住宅建物３の外部に面した開口部４の周りの柱５の外面６と梁７の外面８とに跨って当該柱５の外面６と梁７の外面８とに固定された構造の建物である。
既存の集合住宅建物３の外部に面した開口部４は、例えば、集合住宅建物３の各戸の室内からベランダ１１への出入口となる開口部である。図示しないが、開口部４の開口縁には、例えば、引き戸やドアのような開閉体を取り付けるためのサッシュ枠のような取付枠が取り付けられ、取付枠に開閉体が開閉可能に取り付けられる。
【０００８】
図２を参照し、耐震補強材２の形状や大きさを説明する。
耐震補強材２は、例えば、Ｔ字形状の平板に作製されたコンクリート板を用いる。高強度コンクリートにより形成された耐震補強材２を使用すれば、耐震強度を大きくできて好ましい。
Ｔ字形状に形成された耐震補強材２の大きさは、例えば、高さＨ＝２５００ｍｍ、横幅Ｄ＝５０００ｍｍ、板厚ｔ＝１５０ｍｍ、Ｔ字の縦部１５の高さＨ１＝２０００ｍｍ、Ｔ字の横部１６の高さＨ２＝５００ｍｍ、縦部１５の横幅Ｄ１＝８００ｍｍ、横部１６の張り出し長さＤ２＝２１００ｍｍである。即ち、耐震補強材２は、開口部４の周りの柱５の外面６と梁７の外面８とに跨って当該柱５の外面６と梁７の外面８とを覆う面積を備えたＴ字形状に形成される。
耐震補強材２の横部１６の両方の端部１７；１７には、耐震補強材２を形成するコンクリート板の両面を貫通する横端固定孔１９；１９が形成される。耐震補強材２の縦部１５の下端部１８には、耐震補強材２を形成するコンクリート板の両面を貫通する下端固定孔２０が形成される。横端固定孔１９；１９及び下端固定孔２０の径は例えば１００ｍｍである。
耐震補強材２の高さＨは、下階のベランダ１１の床１２の上面１３と上階のベランダ１１の床１２の下面１４との間の距離Ｋより短い長さに形成される（図１参照）。耐震補強材２の高さＨが距離Ｋより短く形成されているので、ベランダ１１上に耐震補強材２をＴ字状態で搬入してそのままの状態で柱５の外面６及び梁７；７の外面８の方向に移動させて当該外面６；８に固定できるため、耐震補強材２の固定作業が容易となる。
【０００９】
図１乃至図３を参照し、耐震補強材２を用いた既存の集合住宅建物３の耐震補強方法を説明する。
耐震補強材２の縦部１５の裏面２１と開口部４の横に位置する１つの柱５の外面６とを対面させるとともに、耐震補強材２の横部１６の裏面２２と上記１つの柱５の外面６及びこの柱５の両側にある両開口部４；４の上に位置する梁７；７の外面８とを対面させる。尚、耐震補強材２の横部１６の両端部１７；１７にそれぞれ形成された横端固定孔１９；１９が対応する梁７の位置には、筒孔内壁に雌ねじの形成された雌ねじ筒体２５を、梁７の外面８から梁７の内部に埋め込むように取り付けた後に、雌ねじ筒体２５にボルト２６を螺着してボルト２６の先端部を梁７の外面８より突出させておく。耐震補強材２の縦部１５の下端部１８に形成された下端固定孔２０が対応する柱５の位置にも、筒孔内壁に雌ねじの形成された雌ねじ筒体２７を、柱５の外面６から柱５の内部に埋め込むように取り付けた後に、雌ねじ筒体２７にボルト２８を螺着してボルト２８の先端部を柱５の外面６より突出させておく。そして、梁７の外面８より突出したボルト２６；２６の先端部に耐震補強材２の横端固定孔１９；１９を通した後にボルト２６の先端から当該ボルト２６にナット３１を締結する。さらに、柱５の外面６より突出したボルト２８の先端部に耐震補強材２の下端固定孔２０を通した後にボルト２８の先端から当該ボルト２８にナット３２を締結する。
以上のように、耐震補強材２が、雌ねじ筒体２５、ボルト２６、横端固定孔１９、ナット３１により構成された固定手段３５によって梁７の外面８に固定されるとともに、雌ねじ筒体２７、ボルト２８、下端固定孔２０、ナット３２により構成された固定手段３６によって柱５の外面６に固定される。
【００１０】
各階のベランダ１１の柱５の１つ１つに対応して耐震補強材２を取り付けていくことによって、耐震補強材２が、既存の集合住宅建物３の外部に面した開口部４の周りの柱５の外面６と梁７の外面８とに跨って当該柱５の外面６と梁７の外面８とに固定された構造の建物１を構築できる。
【００１１】
以上によれば、耐震補強材２が、既存の集合住宅建物３のベランダ１１側に位置するすべての開口部４の周りの柱５と梁７とに跨って当該柱５の外面６と梁７の外面８とに固定手段３５；３６によって固定されるので、固定手段３５；３６により柱５の外面６と梁７の外面８とに一体化された耐震補強材２を備えた構造の建物を構築できるため、建物の剛性が大きくなり、耐震効果の高い建物１を提供できる。
特に、複数の耐震補強材２の横部１６が複数の開口部４の上に位置する梁７の外面８に沿って連続的に当該外面８に固定され、かつ、複数の耐震補強材２の縦部１５が開口部４と開口部４との間に位置する柱５毎の外面６に固定された構成なので、梁７の外面８に沿って外面８に連続的に固定された複数の横部１６、及び、梁７の開口部４間の柱５の外面６毎に外面６に固定された複数の縦部１５によって、地震の際の力を受ける耐力が向上するため、耐震効果の高い建物１を提供できる。
【００１２】
Ｔ字形状に加工した耐震補強材２を使用したので、耐震補強材２を、１つの柱５の外面６と、当該柱の左右に設けられた梁７の外面８とに固定できるので、４つの耐震補強材２で３つの開口部４を取り囲むように固定でき、建物１の構築において耐震補強材２を効率的に使用できる。また、梁７の外面８に沿った長さを長くすることができて、地震の際の力に対する耐震補強材２の強度を向上できるので、耐震効果の高い建物１を提供できる。
【００１３】
また、耐震補強材２の横部１６の両端部１７；１７及び縦部１５の下端部１８の３点を固定手段３５；３６によって開口部４周りの柱５の外面６と梁７の外面８とに固定したので、耐震補強材２が地震の際の力によって柱５の外面６や梁７の外面８に沿って回転するのを防止でき、耐震効果の高い建物１を提供できる。即ち、図１に示すように、耐震補強材２は、ベランダ１１側から見た場合に、柱５と梁７とに三点で固定され、三点を、これら三点を結んで形成される三角形の頂点に位置させた構成としたので、耐震補強材２の回転防止効果が得られ、耐震補強材２の回転による脱落を防止できるため、耐耐震補強材２の脱落による耐震構造の劣化の少ない建物１を提供できる。
【００１４】
また、室内側から開口部４を通して室外を見た場合に、耐震補強材２が開口部４の前方に位置しないので、従来の補強体のように建物の外から見た場合の外観を損なわせたり、室内から開口部４を通した眺望を妨げてしまうことのない建物１を提供できる。
また、耐震補強材２が開口部４を塞がないので、耐震補強材２が開口部４を通る人の出入を妨げることもない。
【００１５】
さらに、図３（ｂ）に示すように、下階に固定した耐震補強材２の左右間の中央上端部と対向する上階のベランダ１１の床１２に、上下に貫通する床貫通孔４０を形成するとともに、下階に固定した耐震補強材２の左右間の中央上端部の上端面に連結用鉄筋４１を取り付けるための上端取付孔４２を形成しておく。そして、上階のベランダ１１から連結用鉄筋４１を床貫通孔４０経由で上端取付孔４２に挿入して接着剤などで固定する。連結用鉄筋４１は床貫通孔４０を経由して上階のベランダ１１の床１２の上面１３より上方に突出させる。次に、上階に固定する耐震補強材２の左右間の中央下端部に下端取付孔４３を形成し、下端取付孔４３内に連結用鉄筋４１の上端部を挿入して接着剤などで固定する。その後、床貫通孔４０内に生コンクリートと呼ばれるような流動性を有するコンクリートを充填する。コンクリートが固まることで、上下の耐震補強材２；２の下端と上端とが連結用鉄筋４１及びコンクリート４５により互いに連結され、上下の耐震補強材２；２とベランダ１１の床１２とが互いに一体化される。このように、下階の柱５及び梁７に固定された耐震補強材２と上階の柱５及び梁７に固定された耐震補強材２とが、床貫通孔４０、連結用鉄筋４１、コンクリート４５より構成された連結手段４６によって互いに連結されて、上下の耐震補強材２；２とベランダ１１の床１２とが一体化された構造としたことで、既存の集合住宅建物３と耐震補強材２との一体化が強固になり、より耐震効果の高い建物１を提供できる。
【産業上の利用可能性】
【００１６】
図４に示すようなＬ字形状に形成された耐震補強材２を用いてもよい。図４に示すＬ字形状を２つ合わせた逆凹字形状に形成された耐震補強材２を用いてもよい。開口部４の下縁４ｅ（図１参照）とベランダ１１の床１２の上面１３との間の間隔が大きい場合には、ロ字形状やコ字形状に形成された耐震補強材２を用いてもよい。
【００１７】
鉄板、鋼板、鋳鉄板などの金属により形成された耐震補強材２を用いてもよい。
【００１８】
耐震補強材２の固定位置は、三点以上であればよく、少なくとも任意の三点が、当該任意の三点を結んで形成される三角形の頂点に位置していればよい。例えば、Ｔ字形状の耐震補強材２の横部１６の左右間の中央部も固定手段３６で固定することによって、耐震補強材２を四点で固定しても良い。
【００１９】
図５に示すように、柱５の外面６や梁７の外面８に対向させる耐震補強材２の裏面２１；２２より突出させた多数の鉄筋５１、柱５の外面６や梁７の外面８より突出させた鉄筋５２、これら鉄筋を互いに連結するコンクリート５３により、耐震補強材を梁の外面や柱の外面に固定するための固定手段５５を構成してもよい。この場合、固定手段５５により、梁７や柱５と耐震補強材２との結合力が大きくなるので、好ましい。
【００２０】
図示しないが、梁や柱の内面から外面に貫通する貫通孔、筒孔内壁に雌ねじが形成された雌ねじ筒、ボルト、ナット、耐震補強材に形成された固定孔により、固定手段を構成してもよい。即ち、梁や柱に形成した貫通孔内に雌ねじ筒を固定し、雌ねじ筒にボルトを螺着してボルトの先端部を梁や柱の外面より突出させ、突出したボルトの先端部に耐震補強材の貫通孔を通した後にボルトの先端からボルトにナットを締結することによって、耐震補強材２を梁７や柱５に固定してもよい。
【００２１】
図１に示すように、隣り合う耐震補強材２；２の端面５６；５６同士を互いに突き合わせるようにして各耐震補強材２を固定手段３５；３６によって固定すれば、耐震補強材２同士の突き合わせによって耐震強度が向上するので好ましいが、隣り合う耐震補強材２；２の端面５６；５６同士を互いに突き合わせずに各耐震補強材２を固定手段３５；３６によって固定してもよい。
【００２２】
図６に示すように、既存の集合住宅建物３のベランダ１１側の外面において柱５と柱５との間に壁６０が設けられている場合には、開口部４の周りの柱５の外面６と梁７の外面８とに跨って当該柱５の外面６と梁７の外面８とに耐震補強材２を固定するとともに、開口部４の周りの壁６０の表面６１と梁７の外面８とに跨って当該壁６０の表面６１と梁７の外面８とに耐震補強材２を固定することによって、既存の集合住宅建物３を耐震補強すれば、より耐震効果の高い建物１を提供できる。
【００２３】
図７に示すように、既存の集合住宅建物３における外部としての廊下６５に面した開口部４の周りの柱５の外面６と梁７の外面８とに跨って当該柱５の外面６と梁７の外面８とに耐震補強材２を固定するとともに、開口部４の周りの壁６０の表面６１と梁７の外面８とに跨って当該壁６０の表面６１と梁７の外面８とに耐震補強材２を固定することによって、既存の集合住宅建物３を耐震補強した場合でも、耐震効果の高い建物１を提供できる。この場合、開口部４は、各戸の玄関出入口６６や、玄関側の窓６８などである。
【００２４】
開口部４の周りの柱５の外面６と梁７の外面８とに跨って当該柱５の外面６と梁７の外面８とに耐震補強材２を固定せずに、開口部４の周りの壁６０の表面６１と梁７の外面８とに跨って当該壁６０の表面６１と梁７の外面８とに耐震補強材２を固定するだけでもよい。即ち、耐震補強材２が、開口部４の周りの壁６０の表面６１と梁７の外面８とに跨って当該壁６０の表面６１と梁７の外面８とに固定されたことによって耐震補強された建物１であっても、耐震効果を向上できる。
【図面の簡単な説明】
【００２５】
【図１】建物をベランダ側から見た正面図（最良の形態）。
【図２】耐震補強材を示す斜視図及び正面図（最良の形態）。
【図３】図１のＡ−Ａ断面図及びＢ−Ｂ断面図（最良の形態）。
【図４】耐震補強材の他の例を示す図。
【図５】固定手段の他の例を示す図。
【図６】ベランダへの出入口となる開口部の周りの柱と梁、壁と梁とに跨って耐震補強材が固定された他の例を示す図。
【図７】廊下に面した開口部の周りの柱と梁、壁と梁とに跨って耐震補強材が固定された他の例を示す図。
【符号の説明】
【００２６】
１  建物、２  耐震補強材、３  既存の集合住宅建物、４  開口部、
５  柱、６  柱の外面、７  梁、８  梁の外面、１１  ベランダ、
３５；３６：５５  固定手段、４６  連結手段、６０  壁、６５  廊下。
【図１】
2008057175.tif 000003
【図２】
2008057175.tif 000004
【図３】
2008057175.tif 000005
【図４】
2008057175.tif 000006
【図５】
2008057175.tif 000007
【図６】
2008057175.tif 000008
【図７】
2008057175.tif 000009